【事件の表示】
　平成１１年特許願第３３７６５８号「コンバインにおける穀粒貯留装置」拒絶査定不服審判事件〔平成１２年　４月２５日出願公開、特開２０００−１１６２２８〕について、次のとおり審決する。
【結　論】
　本件審判の請求は、成り立たない。
【理　由】
１．手続の経緯・本願発明　　　　　　　　　　　　　　　　　　　　　
　本願は、平成３年９月２０日に出願した特願平３−２７００７５号の一部を分割して、平成１１年１１月２９日に新たな特許出願としたものであって、その請求項１に係る発明は、平成１６年２月１３日付けの手続補正書によって補正された明細書及び図面の記載からみて、その特許請求の範囲の請求項１に記載されたとおりのつぎのものであると認められる（以下、「本願発明」という）。
「下方に走行装置を設けた機体フレーム１の左右一側上方位置に設ける脱穀装置２と、この機体フレーム１の左右他側上方位置でかつ機体フレーム１の前部に設けたエンジンルーム４の後方に空間２６を置いて設けるグレンタンク３と、このグレンタンク３を外開き回動自在に取り付けるためのグレンタンク３の後部側の外側部分に設けた縦軸支手段とを設け、グレンタンク３を格納位置に固定可能で適宜操作レバーの操作によって該固定を解除するロック装置３５を前記脱穀装置２とグレンタンク３との間に設けるに、前記脱穀装置２とグレンタンク３との間にフレーム３７をその長手方向が前後方向に沿うように設け、該フレーム３７に前記ロック装置３５の係合フック３６を係脱可能に設け、この係合フック３６を作動する操作レバー４０の回動中心部をグレンタンク３の前板２０において外側に向けて回動する側に偏倚して設けて該操作レバー４０を前記空間２６の下部手前側に位置させ、さらに、前記グレンタンク３の前板２０の下部に支持部材７０を設け、前記機体フレーム１に係合する固定係合用ピン４３を該支持部材７０に対して上下動自在に挿通して設けると共に該固定係合用ピン４３の上部を前記支持部材７０より上方に突出させて屈曲させて操作レバー６８を形成し、且つ、前記グレンタンク３の前部に係合片４１を設けると共に前記機体フレーム１には該係合片４１が係合する係合板４２を固定してグレンタンク３を格納させると係合片４１が係合板４２の突当面４９に当接してグレンタンク３の回動を停止させて前記固定係合用ピン４３を機体フレーム１に容易に係合させられるように構成し、前記ロック装置３５の操作レバー４０および前記固定係合用ピン４３の操作レバー６８を前記空間２６内におけるグレンタンク３の螺旋コンベア４６駆動用のプーリ４５の周辺に集中して配置して前記グレンタンク３側に取付けたカバー３０によって前記空間２６の側面を包囲できるように構成したことを特徴とするコンバインにおける穀粒貯留装置。」
　　　　　　　　　　　　　　　　　　　　　　　　　　　　　　　　　
２．当審の拒絶理由
　一方、当審において平成１５年１１月２７日付けで通知した拒絶の理由の概要は、本願発明は、本願の出願前に頒布された下記の刊行物１及び刊行物２に記載された発明に基いて当業者が容易に発明をすることができたものであるから、特許法第２９条第２項の規定により特許を受けることができない、というものである。　　　　　　　　　　　　　　　　　　　　　　　　
　　　　　　　　　　　　　　　　 記
刊行物１：特開昭６２−２５３３１５号公報
刊行物２：実願平１−１８０７号（実開平２−９３９３６号）の願書に添付　　　　　した明細書及び図面の内容を撮影したマイクロフィルム
　　　　　　　　　　　　　　　　　　　　　　　　　　　　　　　　　
３．引用刊行物に記載の発明
　本願の出願前に頒布された刊行物である刊行物１及び刊行物２には、以下の発明が記載されていると認められる。
刊行物１：特開昭６２−２５３３１５号公報
刊行物１には「コンバインのグレンタンク支持構造」において、以下の記載が認められる。
1-a 「グレンタンク２の後部に配置した垂直オーガー５を回動枢支点として、グレンタンク２を左右に回動可能とした構成において、揚穀筒１と脱穀装置Ｄを連結し、垂直オーガー５と脱穀装置Ｄを垂直オーガー支持杆８により連結し、該揚穀筒１と垂直オーガー支持杆８の間を前後補強杆１４により連結したものである。」（第２頁左上欄第９−１５行）
1-b「コンバインの座席の後部にエンジン室１２が配置されている。該エンジン室１２の後部にグレンタンク２が配置されているのである。コンバインの進行方向の左側には脱穀装置Ｄが配置されており」（第２頁右上欄第６−１０行）
1-c「グレンタンク２は下部に集穀コンベア１６を配置しており、該集穀コンベア１６により集めた穀粒を垂直オーガー５により上昇させ」（第２頁右上欄第１３−１５行）
1-d「グレンタンク２の下方には、・・・通常の作業状態では、固定ブラケット２３・２４部分をボルトにより機体フレーム１０に固定しているのである。」（第２頁左下欄第１８行−右下欄第５行）　
1-e「垂直オーガー５の前後方向の支持を、前後補強杆１４により揚穀筒１と連結することにより行っているのである。」（第３頁左下欄第４−６行）
1-f 刊行物１の特に第１図によれば、「機体フレーム１０」の下方には走行装置が設けられていることが明らかである。
上記の事項より、刊行物1には以下の発明（以下、「引用発明1」という）が記載されていると認められる。
「座席の後部にエンジン室１２を、エンジン室１２の後部にグレンタンク２を配置するとともに、進行方向の左側には脱穀装置Ｄを配置し、グレンタンク２の下部に配置した集穀コンベア１６により集めた穀粒を垂直オーガー５により上昇させるコンバインにおいて、グレンタンク２の後部に配置した垂直オーガー５を回動枢支点として、グレンタンク２を左右に回動可能とし、揚穀筒１と脱穀装置Ｄを連結し、垂直オーガー５と脱穀装置Ｄを垂直オーガー支持杆８により連結し、該揚穀筒１と垂直オーガー支持杆８の間を前後補強杆１４により連結して垂直オーガー５の前後方向を支持し、通常の作業状態では、グレンタンク２の固定ブラケット２３・２４部分をボルトにより機体フレーム１０に固定し、機体フレーム１０の下方には走行装置を設けたコンバインのグレンタンク支持構造。」
　　　　　　　　　　　　　　　　　　　　　　　　　　　　　　　　　　刊行物２：実願平１−１８０７号（実開平２−９３９３６号）の願書に添付　　　　　した明細書及び図面の内容を撮影したマイクロフィルム
刊行物２には「コンバインの穀粒回収装置」において、以下の記載が認められる。
2-a「脱穀装置(2)の側部に配置した穀粒タンク(4)を縦軸心(P)を中心に旋回可能に支持して、機体フレーム(6)上に乗り上がり格納された穀粒回収位置と、機体フレーム(6)外方に張出したメンテナンス位置とに切換え可能に構成してあるコンバインの穀粒回収装置において、前記穀粒タンク(4)の遊端側上部と脱穀装置(2)との間に、この穀粒タンク(4)を前記穀粒回収位置に固定する係止ロック機構(7)をロック付勢状態に設け、この係止ロック機構(7)を付勢力に抗して解除操作する操作レバー(16)を、穀粒タンク(4)下部の下すぼまり状のテーパー部(4b)からタンク外方に向けて突設してあるコンバインの穀粒回収装置。」（実用新案登録請求の範囲の請求項１）
2-b「穀粒タンク(4)を穀粒回収位置に固定するために、タンク遊端側の上部にはロック付勢式の係止ロック機構(7)が、又、タンク遊端側の下部にはピンロック機構(8)が備えられている。」（第８頁第１−５行）
2-c「係止ロック機構(7)は・・・脱穀装置(2)側の支持フレーム(9)にブラケット(10)を介して連結固定した係止ピン(11)と、穀粒タンク(4)の前面にブラケット(12)を介して支点(Q)周りに回動自在に取付けた回動フック(13)と・・・からなり、穀粒タンク(4)がメンテナンス位置から穀粒回収位置に旋回されると、・・・回動フック(13)が係止ピン(11)に自動係合するようになっている。」（第８頁第６−末行）
2-d「係止ピン(11)と回動フック(13)の位置合わせのために、・・・係止ピン(11)自体は第３図に示すように前後方向に螺進調節可能となっている。」（第９頁第１−６行）
2-e「操作レバー(16)は、穀粒タンク(4)下部における下すぼまりテーパー部(4b)の外側部・・・に突出して設けられるとともに、ロック解除位置まで揺動操作された操作レバー(16)と共握り可能なループ状の把手(18)が前記テーパー部(4b)の外面に取付けられている。」（第９頁第１５行−第１０頁第１行）
2-f「機体フレーム(6)上に接当部財(4c)を介して乗り上がっている穀粒タンク(4)を持上げ気味に旋回開放することができる。」（第１０頁第５−７行）（なお、上記記載において、「接当部財(4c)」は「接当部材(4c)」の誤記であると認められるので、以下においては「接当部材(4c)」とする。）
2-g「タンク下部の前記ピンロック機構(8)は・・・機体フレーム(6)に設けたロック孔(19)と、穀粒タンク(4)の前記補強板(4a)にボス(20)を介して上下スライド及び回動自在に貫通支持したロックピン(21)とからなり、穀粒タンク(4)が前記穀粒回収位置にあるときロックピン(21)をロック孔(19)に挿抜可能となっている。そして、ロックピン(21)の頭部(21a)は側方に屈曲され、抜き上げたロックピン(21)を前記把手(18)の下辺部(18b)に引掛けてロック解除状態が保持可能に構成されている。」（第１０頁第８−１９行）
2-h「(22)は穀粒タンク(4)の下部テーパー部(4b)の外側に着脱自在に配備される化粧カバー・・・であり」（第１１頁第６−１０行）
2-i 上記2-a及び2-cの記載並びに図面第１図より、「穀粒タンク(4)の前面に・・・取付けた回動フック(13)」を「解除操作する操作レバー(16)」は「穀粒タンク(4)」の前面に設けられおり、上記2-e及び2-g並びに図面第４図の記載より、「操作レバー(16)」と「ロックピン(21)の頭部(21a)」とは「穀粒タンク(4)下部における下すぼまりテーパー部(4b)の外側部」の「把手(18)」付近に集中して配置されているといえる。
　上記の事項より、刊行物２には以下の発明（以下、「引用発明２」という）が記載されていると認められる。
「脱穀装置(2)の側部に配置した穀粒タンク(4)を縦軸心(P)を中心に旋回可能に支持して、機体フレーム(6)上に乗り上がり格納された穀粒回収位置と、機体フレーム(6)外方に張出したメンテナンス位置とに切換え可能に構成し、穀粒タンク(4)を穀粒回収位置に固定するために、タンク遊端側の上部にはロック付勢式の係止ロック機構(7)が、又、タンク遊端側の下部にはピンロック機構(8)が備えられており、係止ロック機構(7)は前記穀粒タンク(4)の遊端側上部と脱穀装置(2)との間にロック付勢状態に設けられ、脱穀装置(2)側の支持フレーム(9)にブラケット(10)を介して連結固定した係止ピン(11)と、穀粒タンク(4)の前面にブラケット(12)を介して支点(Q)周りに回動自在に取付けた回動フック(13)とからなり、係止ピン(11)は、該係止ピン(11)と回動フック(13)の位置合わせのために前後方向に螺進調節可能となっていて、穀粒タンク(4)がメンテナンス位置から穀粒回収位置に旋回されると、回動フック(13)が係止ピン(11)に自動係合するようになっており、この係止ロック機構(7)を付勢力に抗して解除操作する操作レバー(16)を、穀粒タンク(4)下部の下すぼまり状のテーパー部(4b)からタンク外方に向けて突設してあり、前記ピンロック機構(8)は機体フレーム(6)に設けたロック孔(19)と、穀粒タンク(4)の前記補強板(4a)にボス(20)を介して上下スライド及び回動自在に貫通支持したロックピン(21)とからなり、穀粒タンク(4)が前記穀粒回収位置にあるときロックピン(21)をロック孔(19)に挿抜可能となっており、ロックピン(21)の頭部(21a)は側方に屈曲され、抜き上げたロックピン(21)をロック解除状態が保持可能に構成されており、機体フレーム(6)上に接当部材(4c)を介して乗り上がっている穀粒タンク(4)を持上げ気味に旋回開放することができ、穀粒タンク(4)の下部テーパー部(4b)の外側には化粧カバー(22)を着脱自在に配備し、又、穀粒タンク(4)の外側壁(4b)に形勢した開口から出退揺動自在に増量用補助タンク(23)を取付けた、コンバインの穀粒回収装置。」
　　　　　　　　　　　　　　　　　　　　　　　　　　　　　　　　　
４．対比・判断                                         　    　    
　引用発明１において、下方に走行装置を設けた「機体フレーム１０」の、進行方向左側には「脱穀装置Ｄ」が、右側には「グレンタンク２」がそれぞれ配置されていることから、「グレンタンク２を左右に回動可能」とした構成は、実質上は「グレンタンク２」を外側に回動可能、すなわち外開き回動自在に取り付けた構成であるということができ、また上記「グレンタンク２」は「エンジン室１２の後部に」配置されており、「回動可能」であることから、「エンジン室１２」と「グレンタンク２」との間には実質上、回動のための空間が確保されているといえる。そうすると、本願発明と引用発明１とは、下方に走行装置を設けた機体フレームの左右一側上方位置に設ける脱穀装置と、この機体フレームの左右他側上方位置でかつ機体フレームの前部に設けたエンジンルームの後方に空間を置いて設けるグレンタンクと、このグレンタンクを外開き回動自在に取り付けたコンバインである点で共通している。
　ここで、本願発明における「縦軸支手段」も、引用発明１における「回動枢支点」である「垂直オーガー」も共にグレンタンクを回動するための回動軸として機能しており、これらは「回動軸手段」という技術的概念に包含されるものである。
　また引用発明１において、「垂直オーガーの前後方向を支持」する「前後補強杆」は「脱穀装置」と「グレンタンク」との間に「前後方向」に配設されており、本願発明の「脱穀装置とグレンタンクとの間にその長手方向が前後方向に沿うように設け」た「フレーム」に実質上対応している。
　ところで、本願発明における「グレンタンク３を格納位置に固定可能で適宜操作レバーの操作によって該固定を解除するロック装置３５」と、「機体フレーム１に係合する固定係合用ピン４３を該支持部材７０に対して上下動自在に挿通して設けると共に該固定係合用ピン４３の上部を前記支持部材７０より上方に突出させて屈曲させて操作レバー６８を形成」の構成に関連して本願の明細書の記載をみると、「固定係合用ピン４３と操作レバー６８によりロック手段Ａを構成」（段落【００２０】）し、「ロック装置３５」により「ロック手段Ｂ」（段落【００１７】）を構成するものであり、これらは「グレンタンク３」を格納位置に固定するための固定手段であるということができる。一方、引用発明１における「グレンタンクの固定ブラケット２３・２４部分をボルトにより機体フレームに固定」する構成も「グレンタンク２」を格納位置に固定するための固定手段であるということができるから、グレンタンクの格納位置への固定に関して本願発明と引用発明１とを包括して、両者は共にグレンタンクを格納位置へ固定するための固定手段を備えているということができる。
　そうすると、両者は以下の点で一致し、また、相違していると認められる。
一致点；
　下方に走行装置を設けた機体フレームの左右一側上方位置に設ける脱穀装置と、この機体フレームの左右他側上方位置でかつ機体フレームの前部に設けたエンジンルームの後方に空間を置いて設けるグレンタンクと、このグレンタンクを外開き回動自在に取り付けるための回動軸手段と、グレンタンクを格納位置へ固定するための固定手段とを設け、前記脱穀装置とグレンタンクとの間にフレームをその長手方向が前後方向に沿うように設けたコンバインにおける穀粒貯留装置、である点。
相違点；
a．グレンタンクの回動軸手段が、本願発明においては、グレンタンクの後部側の外側部分に設けた縦軸支手段であるのに対して、引用発明１においてはグレンタンクの後部に配置した垂直オーガーを回動枢支点とするものである点。
b．グレンタンクを格納位置に固定するための固定手段に関連した構成が、本願発明は
（b-1）グレンタンク３を格納位置に固定可能で適宜操作レバーの操作によって該固定を解除するロック装置３５を脱穀装置２とグレンタンク３との間に設けるに、フレーム３７に前記ロック装置３５の係合フック３６を係脱可能に設け、この係合フック３６を作動する操作レバー４０の回動中心部をグレンタンク３の前板２０において外側に向けて回動する側に偏倚して設けて該操作レバー４０を空間２６の下部手前側に位置させ
（b-2）グレンタンク３の前板２０の下部に支持部材７０を設け、機体フレーム１に係合する固定係合用ピン４３を該支持部材７０に対して上下動自在に挿通して設けると共に該固定係合用ピン４３の上部を前記支持部材７０より上方に突出させて屈曲させて操作レバー６８を形成し、且つ、前記グレンタンク３の前部に係合片４１を設けると共に前記機体フレーム１には該係合片４１が係合する係合板４２を固定してグレンタンク３を格納させると係合片４１が係合板４２の突当面４９に当接してグレンタンク３の回動を停止させて前記固定係合用ピン４３を機体フレーム１に容易に係合させられるように構成し
（b-3）ロック装置３５の操作レバー４０および固定係合用ピン４３の操作レバー６８を空間２６内におけるグレンタンク３の螺旋コンベア４６駆動用のプーリ４５の周辺に集中して配置して前記グレンタンク３側に取付けたカバー３０によって前記空間２６の側面を包囲できるように構成するものであるのに対して、
引用発明１はグレンタンクの固定ブラケット２３・２４部分をボルトにより機体フレームに固定するものである点。
（なお、相違点b．の構成を(b-1)ないし(b-3)として分説して記載した。）
　上記の相違点について検討する。
　まずa．の相違点について検討する。グレンタンクを脱穀部の横側方に配備してなるコンバインにおいて、前記グレンタンクを後部側の外側に設けた回動軸を中心に回動できるように枢支して構成することは周知技術（例えば、下記の周知例１があげられる。）であり、該周知技術を引用発明１におけるグレンタンクの回動軸手段に適用して、該回動軸手段における回動枢支点をグレンタンクの後部側の外側部分とすることは当業者が適宜になし得る設計事項にすぎない。
　つぎにb．の相違点について検討する。
　引用発明２は、「脱穀装置(2)の側部に配置した穀粒タンク(4)を縦軸心(P)を中心に旋回可能に支持」したコンバインにおける穀粒回収装置において、「穀粒タンク(4)」を「穀粒回収位置」に固定するために、「タンク遊端側の上部」に「係止ロック機構(7)」を設けたものであり、該「係止ロック機構(7)」は、「脱穀装置(2)側の支持フレーム(9)にブラケット(10)を介して連結固定した係止ピン(11)」に「回動フック(13)」を「自動係合」するようになっており、「回動フック(13)」を「解除操作する操作レバー(16)」を、「穀粒タンク(4)下部の下すぼまり状のテーパー部(4b)からタンク外方に向けて突設し」たものである。そして「操作レバー(16)」を「穀粒タンク(4)下部の下すぼまり状のテーパー部(4b)からタンク外方に向けて突設」させた、引用発明２における上記構成は、実質上「穀粒タンク(4)」の前面において「操作レバー(16)」の回動中心部が外側に向けて回動する側に偏倚して設けられているものといえる。ここで引用発明２において、「回動フック」が係止する上記「係止ピン(11)」は、「前後方向に螺進調節可能」であることからも明らかなように長手方向が前後方向を向くように設けられており、相違点（b-1）の構成における「フレーム」と、長手方向が前後方向に向くように設けた「係止ロック機構」（相違点（b-1）の構成における「ロック装置」に対応している。）における被係止部である点で共通しているといえる。そこで引用発明２が備える上記の構成を上記の相違点（b-1）の構成との関係でみると、引用発明２は、「穀粒タンク」（相違点（b-1）の構成における「グレンタンク」に対応している。）を格納位置に固定可能で適宜操作レバーの操作によって該固定を解除する「係止ロック機構」（「ロック装置」）を設けるに、長手方向が前後方向に向くように設けた被係止部に前記「係止ロック機構」（「ロック装置」）の「回動フック」（同じく「係合フック」に対応している。）を係脱可能に設け、この「回動フック」（「係合フック」）を作動する操作レバーの回動中心部を「穀粒タンク」（「グレンタンク」）の前面（実質上、相違点（b-1）の構成における「前板」に対応しているといえる。）において外側に向けて回動する側に偏倚して設けて該操作レバーを空間の下部手前側に位置させる構成を実質上備えているといえる（引用発明２が備える上記構成を「相違点(b-1)′の構成」という。）。
　また引用発明２において、「機体フレーム(6)」に係合する「ロックピン(21)」は、「穀粒タンク(4)」の「補強板(4a)」に設けた「ボス(20)」に対して「上下スライド及び回動自在に貫通支持」され、「ロックピン(21)」の「頭部(21a)」は「側方に屈曲され」て、「抜き上げたロックピン(21)をロック解除状態が保持可能に構成され」ており、「穀粒タンク(4)」には「接当部材(4c)」が設けられていて、「穀粒タンク(4)」の穀粒回収位置においては「機体フレーム(6)」上に「接当部材(4c)を介して乗り上が」り格納されるように構成されている。なお、刊行物２の第１、第４図によれば、上記「補強板(4a)」は「穀粒タンク(4)」の前面下部に設けられている。引用発明２が備える上記の構成を上記の相違点（b-2）の構成との関係でみると、引用発明２は、「穀粒タンク」（「グレンタンク」）の前面（「前板」）の下部に「ボス」（相違点（b-2）の構成における「支持部材」に対応している。）を設け、機体フレームに係合する「ロックピン」（同じく「固定係合用ピン」に対応している。）を該「ボス」（「支持部材」）に対して上下動自在に挿通して設けると共に該「ロックピン」（「固定係合用ピン」）の上部を前記「ボス」（「支持部材」）より上方に突出させて屈曲させて「頭部」（同じく「操作レバー」に対応している。）を形成する構成を備えている（引用発明２が備える上記構成を「相違点(b-2)′の構成」という。）。ここで、引用発明２における「機体フレーム(6)」には、「穀粒タンク(4)」の格納位置において上記「接当部材(4c)を係合する係合部が設けられてはいないが、穀粒タンクを縦軸心を中心に旋回および格納可能に支持したコンバインにおいて、穀粒タンクの前部に係合部を設けると共に機体フレームには該係合部が係合する係合板を固定して穀粒タンクを格納させると係合部が係合板の突当部に当接して穀粒タンクの回動を停止させるように構成することは周知技術（例えば、下記の周知例２、周知例３があげられる。）である。
　さらに引用発明２において、前記「係止ロック機構(7)」の「操作レバー(16)」および前記「ロックピン(21)」の「頭部(21a)」は「穀粒タンク(4)下部における下すぼまりテーパー部(4b)の外側部」の「把手(18)」付近に集中して配置されており（刊行物２の2-i）、「穀粒タンク(4)」の外側に設けた「化粧カバー(22)」によって包囲されている。なお前記「穀粒タンク(4)」は旋回可能に構成されているから「穀粒タンク(4)」の前面には旋回のための空間が確保されていることが明らかである。ここで、引用発明２には直接開示はされていないが、穀粒タンク内の下すぼまりの底部付近には、通常螺旋コンベアが配置される関係上、該螺旋コンベアを駆動するためのプーリが穀粒タンク下部における下すぼまりテーパー部の外側部に配置されることは自明な事項（例えば、下記の周知例２（特に第１、２、３、５図）、周知例３（特に第１、４、６図）にも記載されている。）であり、引用発明２において、集中して配置されている前記「係止ロック機構(7)」の「操作レバー(16)」および前記「ロックピン(21)」の「頭部(21a)」の位置は、引用発明２が実質的に備えているといえる、螺旋コンベア駆動用のプーリの周辺であるということができる。引用発明２が備える上記の構成を上記の相違点（b-3）の構成との関係でみると、引用発明２は、「係止ロック機構」（「ロック装置」）の操作レバーおよび前記「ロックピン」（「固定係合用ピン」）の「頭部」（「操作レバー」）を、同引用発明２が実質的に備えているといえる、空間内における「穀粒タンク」（「グレンタンク」）の螺旋コンベア駆動用のプーリの周辺に集中して配置して前記「穀粒タンク」（「グレンタンク」）側に取付けた「化粧カバー」（相違点（b-3）の構成における「カバー」に対応している。）によって前記空間の側面を包囲できるように構成するものであり、引用発明２は上記の相違点(b-3)の構成に対応する構成を実質的に備えているといえる。
　ところで上記したとおり、引用発明１はグレンタンクを格納位置へ固定するための固定手段を備えており、脱穀装置とグレンタンクとの間にはフレームをその長手方向が前後方向に沿うように設けたコンバインである。そして引用発明１が備える固定手段に替えて、固定手段に関する構成として引用発明２が備える、長手方向が前後方向に向くように設けた被係止部に係脱可能に設ける「係止ロック機構」についての相違点(b-1)′の構成を、同引用発明１における上記フレームを被係止部として適用するとともに、同時に、固定手段に関連した残余の構成である、相違点(b-2)′、(b-3)の各構成を適用し、周知例２及び周知例３として例示される周知技術を勘案して本願発明を得ることは、当業者が容易に想到することができたものである。
　そして上記の各相違点に係る構成を備えた本願発明が奏する効果も、引用発明１並びに引用発明２及び周知技術が奏する効果の総和の範囲内のものであって格別なものとはいえない。
　したがって、本願発明は引用発明１並びに引用発明２及び周知技術に基いて当業者が容易に発明をすることができたものであるから、特許法第２９条第２項の規定により特許を受けることができない。
　　　　　　　　　　　　　　　　　　　　　　　　　　　　　　　　　
【周知例】
周知例１：実願昭６３−１２２５３９号（実開平２−４４９４６号）の願書　　　　　に添付した明細書及び図面の内容を撮影したマイクロフィルム
　　　　　（実用新案登録請求の範囲及び図面第２図、第８図）　　　　　　　　　　　　　　　　　　　　　　　　　　　　　　　　　　　　　　
周知例２：実願昭６１−２００２９３号（実開昭６３−１０３２４８号）の　　　　　願書に添付した明細書及び図面の内容を撮影したマイクロフィル　　　　　ム
　　　　　（実用新案登録請求の範囲、第７頁第２行〜第９頁第４行並びに　　　　　　図面第１〜５図）
　　　　　　　　　　　　　　　　　　　　　　　　　　　　　　　　　
周知例３：実願昭５８−１２７４２９号（実開昭６０−３６０４６号）の願　　　　　書に添付した明細書及び図面の内容を撮影したマイクロフィルム
　　　　　（実用新案登録請求の範囲、第６頁第３行〜第７頁第１８行並び　　　　　　に図面第２〜４図、第６図）
　　　　　　　　　　　　　　　　　　　　　　　　　　　　　　　　　
５．むすび
　以上のとおりであるから、本願は、当審で通知した拒絶の理由によって拒絶すべきものである。
　よって、結論のとおり審決する。